(57)【要約】【課題】  光ファイバ心線とドロップケーブルとの接続作業時の作業工程を低減させて、作業性の向上を図ることができる光ケーブル接続用クロージャを得る。【解決手段】  光ケーブル導出入部５１からクロージャ本体３３内に導入された光ケーブル７の光ファイバ心線７ａとドロップケーブル８とを接続する接続部収容トレイ５７が装備されるクロージャ本体３３内に、光ケーブル導出入部５１付近で光ケーブル７から引き出した光ファイバ心線７ａの接続部収容トレイ５７までの配線部分を収容保護する保護カバー５８を設ける。【選択図】        図２
2008262128.tif 000002
【特許請求の範囲】
【請求項１】
少なくとも架空の光ケーブルを導出入する光ケーブル導出入部と、ドロップケーブルを導出入するドロップ光ケーブル導出入部と、前記光ケーブルから引き出した光ファイバ心線と前記ドロップケーブルとを接続する接続部収容トレイとを、クロージャ本体内に配備する光ケーブル接続用クロージャであって、
前記クロージャ本体内に、前記光ファイバ心線の前記接続部収容トレイまでの配線部分を収容保護する保護カバーが設けられ、
該保護カバーは、底面と、該底面の両側に起立して装備された両側壁とで形成されていることを特徴とする光ケーブル接続用クロージャ。
【請求項２】
前記光ケーブル導出入部と前記ドロップ光ケーブル導出入部とが、個別のゴム部品により形成されていることを特徴とする請求項１に記載の光ケーブル接続用クロージャ。
【請求項３】
前記ドロップ光ケーブル導出入部は、約４５度の下向き傾斜でドロップケーブルを通過させることを特徴とする請求項１又は２に記載の光ケーブル接続用クロージャ。
【請求項４】
前記光ケーブル導出入部において前記光ケーブルを支持するケーブル保持部は、前記接続部収容トレイを支持するフレームに一体形成されたケーブル保持用鬼目部と、該ケーブル保持用鬼目部に向かって進退可能な鬼目部品とで光ケーブルを挟持することを特徴とする請求項１乃至３のいずれか１項に記載の光ケーブル接続用クロージャ。
【請求項５】
前記接続部収容トレイは、光ファイバ心線とドロップケーブルとの接続作業時に開閉できるように、前記クロージャ本体内に固定装備されるフレームに回転可能に結合されると共に、閉じた時に閉じた状態を維持する姿勢維持用係止機構が設けられたことを特徴とする請求項１乃至４のいずれか１項に記載の光ケーブル接続用クロージャ。
【請求項６】
前記接続部収容トレイがフレームのトレイ支持枠に着脱可能に設けられ、該接続部収容トレイを取り外した時には、代わりに、光コネクタを相互接続するアダプタが装着可能に構成されていることを特徴とする請求項１乃至５のいずれか１項に記載の光ケーブル接続用クロージャ。
【請求項７】
ドロップケーブルの導出入方向を変換するケーブルガイドがフレームに設けられていることを特徴とする請求項１乃至６のいずれか１項に記載の光ケーブル接続用クロージャ。
【請求項８】
フレームに支持された前記接続部収容トレイの一端側に前記保護カバーが取り付けられると共に、前記接続部収容トレイの他端側にドロップケーブルを固定するドロップケーブル把持具が取り付けられ、且つ前記保護カバー及び前記ドロップケーブル把持具は、取付位置を交換可能に形成されていることを特徴とする請求項１乃至７のいずれか１項に記載の光ケーブル接続用クロージャ。
【発明の詳細な説明】
【技術分野】
【０００１】
本発明は、架空で光ケーブルとドロップケーブルとを接続する光ケーブル接続用クロージャに関する。
【背景技術】
【０００２】
光ケーブルを用いたネットワークの中で、加入者宅まで直接光ファイバを引き込む形態をＦＴＴＨ（Fiber To The Home）と言う。通常、加入者宅近傍には、数心〜数十心程度の光ケーブルが通信事業者のネットワークとして架設されている。
ＦＴＴＨ（Fiber To The Home）では、図１５に示すように、加入者宅の近くで電柱１等により支持された架空の吊線３に吊持させた光ケーブル接続用クロージャ５内で、架空の光ケーブル７から必要心数（１〜２心／加入者宅）を引き落とし、加入者宅に引き込むドロップケーブルに接続する。
【０００３】
図１６〜図１８は、このようなＦＴＴＨに使用される光ケーブル接続用クロージャ５の従来例を示したものである。
図１６〜図１８に示した光ケーブル接続用クロージャ５は、下記特許文献１に記載されたもので、表面側を開放したケーブル収容部１１と外部からこのケーブル収容部１１に光ケーブル７及びドロップケーブル８を一括して導入する一括導入型のケーブル導入口１２が形成されたクロージャ本体１３と、ケーブル収容部１１の開放面を覆う蓋体１４と、クロージャ本体１３を架空の吊線３に吊持させる吊持機構１５（図１５参照）とを備えて、架空で光ケーブル７とドロップケーブル８とを接続する。
【０００４】
クロージャ本体１３及び蓋体１４は、樹脂製で、互いの上端縁を可撓ヒンジを介して結合することで、蓋体１４がクロージャ本体１３に対して開閉可能になっている。
上記光ケーブル接続用クロージャ５の場合、２つのケーブル導入口１２は、吊線３に吊持されたクロージャ本体１３の水平方向に対向する左右の垂直な側壁に貫通形成された開口である。
【０００５】
このケーブル導入口１２には、図１６に示すように、ケーブル収容部１１内への雨水の進入を防止するために、光ケーブル７を挿通させる光ケーブル導出入部２１とドロップケーブル８を挿通させるドロップ光ケーブル導出入部２２とを備えた合成ゴム製のシール部材２３が装着されている。
【０００６】
クロージャ本体１３内には、光ケーブル７から引き出した光ファイバ心線７ａとドロップケーブル８とを接続した接続部を収納する接続部収納部と心線余長を巻回して収納する心線余長収納部とを備えた複数個の接続部収容トレイ２４が多段に積層配置されている。
【０００７】
各接続部収容トレイ２４は、光ファイバ心線７ａとドロップケーブル８との接続作業時に開閉できるように、クロージャ本体１３内に固定装備されるフレーム２５に回転自在に結合されている。
各接続部収容トレイ２４は、閉じた状態のときは、図１８に示すように、やや斜め上方に傾斜した状態で積層することで、占有スペースが小さくなるように設計されている。
なお、複数個の接続部収容トレイ２４は、接続作業完了時に一括して不図示の結束バンド等でフレーム２５に締結することで、閉じた状態を維持するようになっている。
【０００８】
この従来の光ケーブル接続用クロージャ５の場合、光ケーブル導出入部２１の付近で光ファイバ７から引き出した光ファイバ心線７ａの接続部収容トレイ２４までの配線部分２６は、接続作業開始時に、各光ファイバ心線７ａの１本毎に、それぞれ保護チューブを被せて、保護するようにしている。
【０００９】
なお、図示はしていないが、従来のクロージャ本体１３には、光ケーブル導出入部２１から入る光ケーブル７を支持するケーブル保持部が装備されている。
このケーブル保持部は、光ケーブル導出入部２１に近接する位置でフレーム２５に固定されたもので、光ケーブル７を挟み付ける一対の鬼目部材を有した構造になっている。
【００１０】
【特許文献１】特開２００４−１３３１３７号公報
【発明の開示】
【発明が解決しようとする課題】
【００１１】
ところが、従来の光ケーブル接続用クロージャ５は、光ファイバ心線７ａとドロップケーブル８との接続作業時にすべき作業工程が多く、作業性が悪いという問題があった。
特に、ドロップケーブル８に接続する光ファイバ心線７ａを、光ケーブル７から引き出した後、各接続部収容トレイ２４へ導くまでの配線部分２６に、１本毎に保護チューブを被せる作業は手間がかかり、改善が望まれていた。
また、接続部を収容する接続部収容トレイ２４は、作業完了後、蓋体１４を閉じる前に、結束バンド等で閉じた状態に固定しなければならず、その作業も手間がかかり、改善が望まれていた。
【００１２】
また、従来の光ケーブル接続用クロージャ５では、光ケーブル導出入部２１及びドロップ光ケーブル導出入部２２は、単一のシール部材２３により提供されていたが、光ケーブル７とドロップケーブル８は断面形状及び寸法が大きく異なっているため、それぞれのケーブルに良好な密着性を確保して高いシール性能を確保するには、高価格な低硬度のゴム材料を使用する必要が生じて、部品のコストアップを招くという問題が生じた。
【００１３】
また、近年では、接続作業を簡易にするために、ドロップケーブル８のコネクタ接続が提案されているが、従来の光ケーブル接続用クロージャ５は、接続部収容トレイ２４上での融着接続又はメカニカルスプライス接続を前提としたもので、融着接続又はメカニカルスプライス接続に代えてコネクタ接続を実施しようとした場合、接続部収容トレイ２４が簡単に着脱できない構造のため、コネクタ接続に必要なアダプタ等をクロージャ本体１３内に収容することができず、コネクタ接続に対応できないという問題もあった。
【００１４】
また、接続部収容トレイ２４上で接続されたドロップケーブル８の導出入方向を変換する際には、接続部収容トレイ２４が装備されているケーブル収容部１１内でドロップケーブル８を周回させなければならず、周回するドロップケーブル８のためにケーブル収容部１１内が煩雑化して、後工程として行う接続部収容トレイ２４の開閉等に支障を招くため、実際上は、ドロップケーブル８の導出入方向が変換できないという問題もあった。
【００１５】
本発明の目的は上記課題を解消することに係り、光ファイバ心線とドロップケーブルとの接続作業時にすべき作業工程を低減して、作業性を向上させることができる光ケーブル接続用クロージャを提供すること、また、光ファイバ心線とドロップケーブルとの接続に、融着接続又はメカニカルスプライス接続だけでなく、接続作業性に優れたコネクタ接続を選択することもできる光ケーブル接続用クロージャを提供すること、また、簡単にドロップケーブルの導出入方向を変換することができる光ケーブル接続用クロージャを提供することを目的とする
【課題を解決するための手段】
【００１６】
（１）上記した課題を解決するために、本発明による光ケーブル接続用クロージャは、少なくとも架空の光ケーブルを導出入する光ケーブル導出入部と、ドロップケーブルを導出入するドロップ光ケーブル導出入部と、前記光ケーブルから引き出した光ファイバ心線と前記ドロップケーブルとを接続する接続部収容トレイとを、クロージャ本体内に配備する光ケーブル接続用クロージャであって、
前記クロージャ本体内に、前記光ファイバ心線の前記接続部収容トレイまでの配線部分を収容保護する保護カバーが設けられ、
該保護カバーは、底面と、該底面の両側に起立して装備された両側壁とで形成されていることを特徴とする。
【００１７】
（２）また、上記（１）に記載の光ケーブル接続用クロージャは、前記光ケーブル導出入部と前記ドロップ光ケーブル導出入部とが、個別のゴム部品により形成されていることを特徴としても良い。
【００１８】
（３）また、上記の（１）又は（２）に記載の光ケーブル接続用クロージャは、前記ドロップ光ケーブル導出入部は、約４５度の下向き傾斜でドロップケーブルを通過させることを特徴としても良い。
【００１９】
（４）また、上記の（１）乃至（３）のいずれか一つに記載の光ケーブル接続用クロージャは、前記光ケーブル導出入部において前記光ケーブルを支持するケーブル保持部は、前記接続部収容トレイを支持するフレームに一体形成されたケーブル保持用鬼目部と、該ケーブル保持用鬼目部に向かって進退可能な鬼目部品とで光ケーブルを挟持することを特徴としても良い。
【００２０】
（５）また、上記の（１）乃至（４）のいずれか一つに記載の光ケーブル接続用クロージャは、前記接続部収容トレイは、光ファイバ心線とドロップケーブルとの接続作業時に開閉できるように、前記クロージャ本体内に固定装備されるフレームに回転可能に結合されると共に、閉じた時に閉じた状態を維持する姿勢維持用係止機構が設けられたことを特徴としても良い。
【００２１】
（６）また、上記の（１）乃至（５）のいずれか一つに記載の光ケーブル接続用クロージャは、前記接続部収容トレイがフレームのトレイ支持枠に着脱可能に設けられ、該接続部収容トレイを取り外した時には、代わりに、光コネクタを相互接続するアダプタが装着可能に構成されていることを特徴としても良い。
【００２２】
（７）また、上記の（１）乃至（６）のいずれか一つに記載の光ケーブル接続用クロージャは、ドロップケーブルの導出入方向を変換するケーブルガイドがフレームに設けられていることを特徴とするとしても良い。
【００２３】
（８）また、上記の（１）乃至（７）のいずれか一つに記載の光ケーブル接続用クロージャは、フレームに支持された前記接続部収容トレイの一端側に前記保護カバーが取り付けられると共に、前記接続部収容トレイの他端側にドロップケーブルを固定するドロップケーブル把持具が取り付けられ、且つ前記保護カバー及び前記ドロップケーブル把持具は、取付位置を交換可能に形成されていることを特徴としても良い。
【発明の効果】
【００２４】
本発明による光ケーブル接続用クロージャによれば、ドロップケーブルに接続する光ファイバ心線を、光ケーブル７から引き出した後、各接続部収容トレイへ導くまでの配線部分は、クロージャ本体内に予め装備されている保護カバー上に載置するだけで、作業中に光ケーブル７を引っ掛ける等の不都合が生じない保護状態にできるため、従前の光ファイバ心線の一本一本に保護チューブを被せる作業が不要になる。
従って、光ファイバ心線とドロップケーブルとの接続作業時にすべき作業工程を低減して、作業性を向上させることができる。
【発明を実施するための最良の形態】
【００２５】
以下、本発明に係る光ケーブル接続用クロージャの好適な実施の形態について、図面を参照して詳細に説明する。
【００２６】
図１は本発明に係る光ケーブル接続用クロージャの一実施の形態の外観斜視図、図２は図１に示した光ケーブル接続用クロージャの蓋体を開いてクロージャ本体内の構成を示した正面図、図３は図２に示したクロージャ本体内に固定されたフレームと、該フレームに取り付けられた各部品の斜視図、図４は図２に示したクロージャ本体の右端の光ケーブル導出入部とドロップケーブル導出入部の取付構造を示す斜視図、図５は図３に示した光ケーブル導出入部とドロップケーブル導出入部のフレームへの取付構造を示す斜視図、図６（ａ）は図３に示したフレームの端部において、光ケーブルを支持するケーブル保持部の斜視図、図６（ｂ）は従来のケーブル保持部の斜視図である。
【００２７】
また、図７は図３に示したフレームの背面側の構造を示す斜視図、図８（ａ）は図３に示したフレームに取り付けられた接続部収容トレイの閉じた状態の斜視図、図８（ｂ）は（ａ）に示した閉じ状態に接続部収容トレイを維持する姿勢維持用係止機構の斜視図、図９（ａ）は図３に示したフレームに取り付けられた接続部収容トレイの開いた状態の斜視図、図９（ｂ）は接続部収容トレイを開いた状態における姿勢維持用係止機構の斜視図、図１０はフレームに積層状態で装備された複数個の接続部収容トレイの内、最下層の接続部収容トレイを開いた状態の斜視図である。
【００２８】
また、図１１は図１０に示した複数個の接続部収容トレイの全てを開いた状態の斜視図、図１２は図１１に示した保護カバーの拡大図、図１３は図３に示したフレームから接続部収容トレイを取り外して、代わりにフレームにアダプタを取り付けた状態の斜視図、図１４は図１３に示したフレームをクロージャ本体に固定して、光ファイバ心線にコネクタ接続されたドロップケーブルを、一端光ケーブル接続用クロージャの外部に出した後、逆側からクロージャ内に戻して、アダプタにコネクタ接続した形態の説明図である。
【００２９】
この一実施の形態の光ケーブル接続用クロージャ３１は、正面側を開放した略箱形のクロージャ本体３３と、該クロージャ本体３３内でクロージャ本体３３に固定されたフレーム３５と、クロージャ本体３３の開放面を開閉可能に覆う蓋体３７とを備えており、フレーム３５の両端に形成した吊持部４１を電柱等により支持された架空の吊線に吊持させて、通信事業者のネットワークの光ケーブル７と加入者宅に引き込むドロップケーブル８（図７参照）とを架空で接続する場合に使用される。
光ケーブル７は、図１０〜図１２に示すように、複数本の光ファイバ心線７ａから構成されている。
【００３０】
本実施の形態の光ケーブル接続用クロージャ３１は、架空の光ケーブル７を導出入する光ケーブル導出入部５１と、該光ケーブル導出入部５１から入る光ケーブル７を支持するケーブル保持部５３と、ドロップケーブル８を導出入するドロップケーブル導出入部５５と、光ケーブル７から引き出した光ファイバ心線７ａとドロップケーブル８とを接続した接続部を収納する複数個の接続部収容トレイ５７と、光ケーブル導出入部５１付近で光ケーブル７から引き出した光ファイバ心線７ａの接続部収容トレイ５７までの配線部分を収容保護する保護カバー５８と、接続部収容トレイ５７から引き出されるドロップケーブル８を位置決め固定するドロップケーブル把持具５９とを、クロージャ本体３３内に配備している。
【００３１】
本実施の形態の場合、光ケーブル導出入部５１とケーブル保持部５３は、図２〜図５に示すように、クロージャ本体３３の両端の壁面にそれぞれ装備されている。
また、光ケーブル導出入部５１と、ドロップケーブル導出入部５５は、個別のゴム部品により形成されている。
【００３２】
光ケーブル導出入部５１は、光ケーブル７の挿通方向に略直交する端面を備えていて、フレーム３５の吊持部４１の基端側に嵌合装着されている。光ケーブル導出入部５１の中心部には、図４に示すように、光ケーブル７の断面形状に相応する円形のケーブル挿通穴５１ａが形成されている。
【００３３】
ドロップケーブル導出入部５５は、図２及び図３に示すように、約４５度の下向き傾斜でドロップケーブル８を通過させるように、フレーム３５の両端に垂設された導出入部支持片６１に取り付けられている。
ドロップケーブル導出入部５５には、図４及び図５に示すように、ドロップケーブル８の断面形状に相応する偏平な形状のケーブル挿通穴６３が端縁に開放するスリット状に複数形成されている。
ケーブル挿通穴６３をスリット状にしたのは、ドロップケーブル８を割り込ませることで、簡単に挿通状態を得られるようにして、作業性を向上させるためである。
【００３４】
光ケーブル導出入部５１及びドロップケーブル導出入部５５の外周部は、これらの導出入部５１，５５の外周部から雨水等がクロージャ内部に進入しないように、図４に示すように、クロージャ本体３３及び蓋体３７の端壁部に多重に形成された隔壁７１，７２，７３，７４が当接又は係合する構造になっている。
光ケーブル導出入部５１及びドロップケーブル導出入部５５は、クロージャ本体３３及び蓋体３７に形成された隔壁７１，７２，７３，７４による挟持と、フレーム３５に形成された吊持部４１や導出入部支持片６１との嵌合により、フレーム３５にしっかりと固定される。
【００３５】
本実施の形態の場合、ケーブル保持部５３は、図６（ａ）に示すように、接続部収容トレイ５７の支持のためにフレーム３５に一体形成されたケーブル保持用鬼目部６５と、該ケーブル保持用鬼目部６５に向かって進退可能な鬼目部品６７とで光ケーブル７を挟持する。
【００３６】
従来は、図６（ｂ）に示したように、ケーブル保持部５３は、光ケーブル７を挟み付ける一対の鬼目部材６７，６８を有した構造になっていて、鬼目部品６７及び鬼目部材６８とが離間間隔を調整可能に組み立てられる構成のため、部品の増大や組み立て工程の増大を招いていたが、本実施の形態では、鬼目部品が単一で済み、部品の削減と組み立て工程の削減を図ることができる。
【００３７】
本実施の形態の場合、図７に示すように、フレーム３５の背面には、クロージャ本体３３上におけるドロップケーブル８の導出入方向を変換するケーブルガイド７６，７７が設けられている。ケーブルガイド７６，７７は、フレーム３５に一体形成された係止片で、フレーム３５の背面側に引き回されたドロップケーブル８を保持して、通常は、図７において左側のドロップケーブル導出入部５５に挿通すべきドロップケーブル８を、右側のドロップケーブル導出入部５５に挿通させることを可能にしている。
即ち、ケーブルガイド７６，７７は、フレーム３５の背面に、ドロップケーブル８を挿通させるケーブル通路を形成している。
【００３８】
接続部収容トレイ５７は、図１０にも示すように、光ケーブル７から引き出した光ファイバ心線７ａとドロップケーブル８とを融着接続又はメカニカルスプライス接続した接続部９を収容する接続部収納部５７ａと、光ファイバ心線７ａやドロップケーブル８の心線余長をトレイの外周部に巻回して収納する心線余長収納部５７ｂとを備えている。
【００３９】
本実施の形態の場合、図８及び図９に示すように、積層状態で装備される複数個の接続部収容トレイ５７は、光ファイバ心線７ａとドロップケーブル８との接続作業時に開閉できるように、クロージャ本体３３内に固定装備されるフレーム３５のトレイ支持枠８１のヒンジ結合用嵌合穴８２に回転可能に結合されている。
接続部収容トレイ５７は、トレイ支持枠８１の両側壁を挟むアーム５７ｃの内面側に、ヒンジ結合用嵌合穴８２に回転可能に嵌合する軸部を突設している。
【００４０】
本実施の形態の場合、ヒンジ結合用嵌合穴８２は、図８（ｂ）に示すように、切り欠き穴になっていて、接続部収容トレイ５７のアーム５７ｃの軸部を一定以上の力で押し付けることで嵌合状態にでき、また、一定以上の力で引っ張ることによって、嵌合を解除できる。
即ち、本実施の形態の場合、接続部収容トレイ５７は、簡単にトレイ支持枠８１に着脱可能になっている。
【００４１】
図８が接続部収容トレイ５７を閉じている状態の説明図であり、図９が接続部収容トレイ５７を開いた状態の説明図である。
本実施の形態の場合、フレーム３５には、接続部収容トレイ５７を閉じた状態に維持する姿勢維持用係止機構８４が装備されている。
【００４２】
姿勢維持用係止機構８４は、トレイ支持枠８１の外側面に突出形成された突起で、図８（ｂ）に示すように、接続部収容トレイ５７を閉じた状態の時に、接続部収容トレイ５７から延出しているアーム５７ｃの縁を係止することによって、接続部収容トレイ５７が開く方向（図８（ｂ）の矢印Ｂ方向）への回動を阻止して、接続部収容トレイ５７を閉じた状態に維持する。
接続部収容トレイ５７を閉じた状態で、図８（ｂ）の矢印Ｂ方向に一定以上のモーメントをかけると、図９（ｂ）に示すように、アーム５７ｃが姿勢維持用係止機構８４を乗り越えて、開いた状態になる。
【００４３】
姿勢維持用係止機構８４は、積層状態に配置される複数個の接続部収容トレイ５７に対応して、トレイ支持枠８１の側面に上下方向に離間して、複数個装備されている。
【００４４】
トレイ支持枠８１に回動可能に取り付けられた接続部収容トレイ５７は、図１０及び図１１に示すように、最下層のものから順に開くことで、任意の積層位置の接続部収容トレイ５７に接続部９や心線余長を収容することができる。
【００４５】
保護カバー５８は、図１２に示すように、光ケーブル７から引き出した光ファイバ心線７ａによる配線を載置する底面５８ａと、該底面５８ａの両側に起立して装備された両側壁５８ｂ，５８ｂとで、横断面コ字状に形成されている。また、底面５８ａの中央には、側壁５８ｂ，５８ｂと平行に、仕切り壁５８ｃが立設されている。このように、仕切り壁５８ｃを装備しておくことで、光ファイバ心線７ａを収容する接続部収容トレイ５７の位置に応じて収容することができる。
【００４６】
図２にも示したように、保護カバー５８は、フレーム３５の両端付近で、導出入部支持片６１の近くに延出形成されたカバー取付片８７に底面５８ａを載置させた状態でフレーム３５に取り付けられている。
カバー取付片８７は、図２に示すように、フレーム３５の両端付近に、対称形状に装備されている。そのため、図２では、接続部収容トレイ５７の左側に位置して取り付けられているが、光ファイバ心線７ａの引き出し位置がフレーム３５の右端側に変更された場合等には、接続部収容トレイ５７の右側に取付位置を変更することもできる。
【００４７】
図２に示したように、接続部収容トレイ５７の右側には、ドロップケーブル８を固定するドロップケーブル把持具５９が装備されている。
このドロップケーブル把持具５９は、ドロップケーブル８を挟んで固定するケーブル挟持部５９ａを、接続部収容トレイ５７の装備数に応じて、上下方向に多段に装備している。
このドロップケーブル把持具５９はフレーム３５に直接取り付けられる。フレーム３５には、ドロップケーブル把持具５９用の取付け部が、接続部収容トレイ５７の両側にそれぞれ装備されている。即ち、ドロップケーブル把持具５９も、接続部収容トレイ５７の左右のいずれにも取付可能になっている。
従って、図３に示すように、フレーム３５に支持された接続部収容トレイ５７の一端側に取り付けられた保護カバー５８と、接続部収容トレイ５７の他端側に取り付けられたドロップケーブル把持具５９とは、光ファイバ心線７ａの引き出し位置が変わる場合は、互いに取付位置を交換可能に形成されている。
【００４８】
本実施の形態の場合、接続部収容トレイ５７を着脱可能に支持するトレイ支持枠８１は、図７に示すように、フレーム３５に係合する係止片８１ａによって、フレーム３５に着脱可能になっている。
そして、接続部収容トレイ５７及びトレイ支持枠８１を取り外したフレーム３５には、図１３及び図１４に示すように、代わりに、光コネクタを接続するアダプタ９１が着脱可能に装着されようになっている。
【００４９】
アダプタ９１を取り付けた場合には、ドロップケーブル８の接続構造として、手間のかかる融着接続又はメカニカルスプライス接続と比較して簡単に接続・離脱を繰り返すことのできるコネクタ接続が利用できる。また、アダプタ９１を装備したことにより、一旦加入者宅に引き込んだドロップケーブル８が、加入者宅の解約等により回収する時に、図１４に示すように、反対側のドロップケーブル導出入部５５からクロージャ本体３３内に戻して、アダプタ９１に接続することにより、光ケーブル７を構成している光ファイバ心線７ａと接続し直して、光ケーブル７の有効回線として再利用することができる。
【００５０】
以上に説明した光ケーブル接続用クロージャ３１によれば、ドロップケーブル８に接続する光ファイバ心線７ａを、光ケーブル７から引き出した後、各接続部収容トレイ５７へ導くまでの配線部分は、クロージャ本体３３内に予め装備されている保護カバー５８上に載置するだけで、作業中に光ファイバ心線７ａを引っ掛ける等の不都合が生じない保護状態にできるため、光ファイバ心線７ａの一本一本に保護チューブを被せる作業が不要になる。
従って、光ファイバ心線７ａとドロップケーブル８との接続作業時にすべき作業工程を低減して、作業性を向上させることができる。
【００５１】
また、本実施の形態の光ケーブル接続用クロージャ３１は、円形断面の光ケーブル７を導出入させる光ケーブル導出入部５１と、偏平断面のドロップケーブル８を導出入するドロップケーブル導出入部５５とが、個別のゴム部品により形成されている。
そのため、それぞれのケーブルの形状や特性に応じて、密着性の良いゴム材料を選択することができ、ケーブルの導出入部を単一のシール部材でシールしていた従来の場合と比較すると、高価格な低硬度のゴム材料を使用する部分を例えば、光ケーブル導出入部５１のみにして、コストの低減を図ることができる。
【００５２】
また、本実施の形態の光ケーブル接続用クロージャ３１では、ドロップケーブル導出入部５５は、約４５度の下向き傾斜でドロップケーブル８を通過させる構成になっている。
このように下向きにすると、防水性が向上するため、材料コストの高い低硬度のゴム材料を使わずに、安価なゴム材料を利用して、コストの低減を図ることができる。
【００５３】
また、本実施の形態の光ケーブル接続用クロージャ３１は、クロージャ本体３３内に装備されて光ケーブル７を固定するケーブル保持部５３が、図６（ａ）に示したように、接続部収容トレイ５７の支持のためにフレーム３５に形成されたケーブル保持用鬼目部６５と、該ケーブル保持用鬼目部６５に向かって進退可能な鬼目部品６７とで光ケーブル７を挟持する構造になっている。
そのため、図６（ｂ）に示すように光ケーブル７をフレーム３５とは別体の一対の鬼目部品６７及び鬼目部材６８とで挟持する従前の構造と比較すると、構成部品の削減と、組み立て工程の削減を図って、コスト削減を図ることができる。
【００５４】
また、本実施の形態の光ケーブル接続用クロージャ３１では、接続部収容トレイ５７は、光ファイバ心線７ａとドロップケーブル８との接続作業時に開閉できるようにフレーム３５に回転可能に結合されると共に、閉じた時に閉じた状態を維持する姿勢維持用係止機構８４が設けられている。
そのため、光ファイバ心線７ａとドロップケーブル８との接続作業が完了し、接続部収容トレイ５７を閉じた状態で蓋体３７を閉じ状態に戻す際などに、不用意に接続部収容トレイ５７が開いてしまうことがなくなり、取り扱い性が向上する。
また、多段に積層された接続部収容トレイ５７の内、中層や下層の接続部収容トレイ５７に接続部９の収容を行う場合でも、上層の接続部収容トレイ５７が開いて作業の邪魔になることがなく、作業性の向上を図ることができる。
【００５５】
また、本実施の形態の光ケーブル接続用クロージャ３１は、接続部収容トレイ５７がフレーム３５のトレイ支持枠８１に着脱可能に設けられていて、当該接続部収容トレイ５７を取り外した時には、代わりに、光コネクタを相互接続するアダプタ９１が装着可能に構成されている。
そのため、状況に応じて、コネクタ接続にも対応することができる。
【００５６】
また、本実施の形態の光ケーブル接続用クロージャ３１は、クロージャ本体３３上におけるドロップケーブル８の導出入方向を変換するケーブルガイド７６，７７が、フレーム３５の背面に設けられている。
そのため、接続部収容トレイ２４上で接続されたドロップケーブル８の導出入方向を変換する際には、図７に示したように、フレーム３５の背面にドロップケーブル８を回して、逆側のドロップケーブル導出入部５５からドロップケーブル８を導出させればよく、迂回させるドロップケーブル８が接続部収容トレイ５７の装備側を横断しないため、迂回するドロップケーブル８が接続部収容トレイ５７の開閉に支障を招くことがない。そして、ドロップケーブル８の引き落とし方向が自由に選択可能になっているため、現場での取り扱い性が向上する。
【００５７】
また、本実施の形態の光ケーブル接続用クロージャ３１は、フレーム３５に支持された接続部収容トレイ５７の一端側に保護カバー５８が取り付けられると共に、接続部収容トレイ５７の他端側にドロップケーブル８を固定するドロップケーブル把持具５９が取り付けられ、且つこれらの保護カバー５８及びドロップケーブル把持具５９が、取付位置を交換可能に形成されている。
そのため、現地の状況に応じて、保護カバー５８とドロップケーブル把持具５９との入れ替えすることで、光ファイバの布設状況に基づいた使用ができ、汎用性を有するとともに、作業性や取り扱い性を向上させることができる。
【図面の簡単な説明】
【００５８】
【図１】本発明に係る光ケーブル接続用クロージャの一実施の形態の外観斜視図である。
【図２】図１に示した光ケーブル接続用クロージャの蓋体を開いた正面図である。
【図３】図２に示したクロージャ本体内に固定されたフレームと、該フレームに取り付けられた各部品の斜視図である。
【図４】図２に示したクロージャ本体の光ケーブル導出入部とドロップケーブル導出入部の取付構造を示す斜視図である。
【図５】図３に示した光ケーブル導出入部とドロップケーブル導出入部の取付構造を異なる角度から見た斜視図である。
【図６】（ａ）は光ケーブルを支持するケーブル保持部の斜視図、（ｂ）は従来のケーブル保持部の斜視図である。
【図７】図３に示したフレームの背面側の構造を示す斜視図である。
【図８】（ａ）接続部収容トレイの閉じた状態の斜視図、（ｂ）は（ａ）に示した閉じ状態に接続部収容トレイを維持する姿勢維持用係止機構の斜視図である。
【図９】（ａ）は接続部収容トレイの開いた状態の斜視図、（ｂ）は姿勢維持用係止機構の斜視図である。
【図１０】最下層の接続部収容トレイを開いた状態の斜視図である。
【図１１】複数個の接続部収容トレイの全てを開いた状態にしたときの斜視図である。
【図１２】図１１に示した保護カバーの拡大図である。
【図１３】フレームにアダプタを取り付けた状態の斜視図である。
【図１４】ドロップケーブルの配線例を示した説明図である。
【図１５】光ケーブル接続用クロージャの架空の取付状態の説明図である。
【図１６】従来の光ケーブル接続用クロージャの側面図である。
【図１７】図１６に示したクロージャ本体の内部構造を示す正面図である。
【図１８】図１７のＡ−Ａ断面図である。
【符号の説明】
【００５９】
７  光ケーブル
７ａ  光ファイバ心線
８  ドロップケーブル
３１  光ケーブル接続用クロージャ
３３  クロージャ本体
３５  フレーム
３７  蓋体
５１  光ケーブル導出入部
５３  ケーブル保持部
５５  ドロップケーブル導出入部
５７  接続部収容トレイ
５８  保護カバー
５８ａ  底面
５８ｂ  側壁
５８ｃ  仕切り壁
５９  ドロップケーブル把持具
７６，７７  ケーブルガイド
８４  姿勢維持用係止機構
【図１】
2008262128.tif 000003
【図２】
2008262128.tif 000004
【図３】
2008262128.tif 000005
【図４】
2008262128.tif 000006
【図５】
2008262128.tif 000007
【図６】
2008262128.tif 000008
【図７】
2008262128.tif 000009
【図８】
2008262128.tif 000010
【図９】
2008262128.tif 000011
【図１０】
2008262128.tif 000012
【図１１】
2008262128.tif 000013
【図１２】
2008262128.tif 000014
【図１３】
2008262128.tif 000015
【図１４】
2008262128.tif 000016
【図１５】
2008262128.tif 000017
【図１６】
2008262128.tif 000018
【図１７】
2008262128.tif 000019
【図１８】
2008262128.tif 000020